(57)【要約】【課題】任意のパーシャル表示領域を選択して、パーシャル表示を実現する。また、消費電力を低減する。【解決手段】表示領域選択信号ＤＳ’に応じて選択されたパーシャル表示領域の各画素にビデオ信号を供給すると共に、背景表示領域の各画素へのビデオ信号の供給をマスクするマスク回路２１０を設ける。また、消費電力を低減するために、液晶パネル１００Ａに設けられたプリチャージ回路１５０のプリチャージ信号ＰＣＤを背景表示信号として利用する。【選択図】　図４
2004012891.tif 000002
【特許請求の範囲】
【請求項１】
複数の画素を備え、選択されたパーシャル表示領域に所望のビデオ信号を供給してパーシャル表示を行い、前記パーシャル表示領域を除く背景表示領域の各画素に背景表示信号を供給して背景表示を行う表示装置であって、前記複数の画素にプリチャージ信号を供給するプリチャージ回路、を有し、このプリチャージ信号を前記背景表示信号として用いることを特徴とすることを特徴とする表示装置。
【請求項２】
表示領域選択信号に応じて選択された前記パーシャル表示領域へ前記ビデオ信号を供給すると共に、前記背景領域への前記ビデオ信号の供給をマスクするマスク回路を有することを特徴とする請求項１記載の表示装置。
【請求項３】
前記ビデオ信号を増幅するＤＡ変換器と、前記背景領域に前記背景表示が行われている期間中、前記ＤＡ変換器の動作を停止させる停止回路とを有することを特徴とする請求項１又は２記載の表示装置。
【請求項４】
前記ビデオ信号を増幅する増幅器と、前記背景領域に前記背景表示が行われている期間中、前記増幅器の動作を停止させる停止回路とを有することを特徴とする請求項１又は２記載の表示装置。
【請求項５】
前記ビデオ信号を前記複数の画素に供給するタイミング信号を発生する水平スキャナーと、前記背景領域に前記背景表示が行われている期間中、前記水平スキャナーの動作を停止させる停止回路とを有することを特徴とする請求項１又は２記載の表示装置。
【請求項６】
前記プリチャージ信号の信号レベルが前記パーシャル表示の期間と前記背景表示の期間とで同一であることを特徴とする請求項１又は２記載の表示装置。
【請求項７】
前記プリチャージ信号の信号レベルが前記パーシャル表示の期間と前記背景表示の期間とで互いに異なることを特徴とする請求項１又は２記載の表示装置。
【発明の詳細な説明】
【０００１】
【発明の属する技術分野】
本発明は液晶表示装置等の表示装置に関し、特に表示画面の内、必要最小限な部分だけを表示させるというパーシャル表示が可能な表示装置に関する。
【０００２】
【従来の技術】
携帯機器では、消費電力の一層の低減が求められており、表示装置においても更なる低消費電力化が要求されている。そこで、パワーセーブ時には、画面の内、必要最小限な部分だけを表示させるというパーシャル表示が可能な表示装置が従来より知られている。このようなパーシャル表示は、例えば、液晶表示装置の表示領域の一部に電池残量、時刻表示などのための固定パターン表示領域を設け、他の領域はマトリクス状に複数の画素を配置して任意のパターンを表示する領域より構成し、パワーセーブ時に固定パターン表示領域のみ駆動して固定パターンを表示させることなどで実現することができる。
【０００３】
【発明が解決しようとする課題】
上述のように、同一表示パネル上に、それぞれ別個に駆動可能な複数の領域を設け、駆動も別々に制御する構成とすれば、要求に応じて一部の領域のみ表示することができる。しかし、パワーセーブ時においても、任意の位置に表示することや任意のパターンを表示したいという要求があり、予め分割された表示領域を個別に制御する表示装置ではこの要求に対応することはできない。
【０００４】
また、表示装置が搭載される機種によって、パワーセーブ時の表示内容、表示位置の要求が違うため、表示パネルの構造、駆動回路を要求に応じてそれぞれ専用に開発しなければならない。
【０００５】
マトリクス型の表示装置であれば、任意の位置に任意の表示を表示することが可能であるが、パーシャル表示で、一部のみしかパターンが表示されない場合でも、他の領域も通常通りの駆動が必要なため、これではパーシャル表示による消費電力の低減効果が低い。
【０００６】
上記課題を解決するために、この発明は、任意位置に任意のパターンをパーシャル表示できると共に、必要に応じてその際の消費電力を低減することのできる表示装置を提供することを目的とする。
【０００７】
【課題を解決するための手段】
本発明の特徴は、複数の画素を備え、選択された表示領域に所望のビデオ信号を供給してパーシャル表示を行い、前記表示領域を除く背景領域の各画素に背景表示信号を供給して背景表示を行う表示装置であって、
表示領域選択信号に応じて選択された前記表示領域へ前記ビデオ信号を供給すると共に、前記背景領域への前記ビデオ信号の供給をマスクするマスク回路と、前記複数の画素にプリチャージ信号を供給するプリチャージ回路と、を備え、プリチャージ信号を前記背景表示信号として用いるものである。
【０００８】
本発明によれば、表示領域選択信号に応じて任意位置に任意のパターンをパーシャル表示できる。また、プリチャージ回路を利用して背景表示を行っているので、背景表示期間については駆動回路の動作を停止して低消費電力化を図ることができる。
【０００９】
【発明の実施の形態】
次に、本発明の実施形態について図面を参照しながら説明する。
［第１の実施形態］
図１は、本発明の第１の実施形態に係る表示装置の構成図である。液晶パネル１００は、ｎ行ｍ列マトリクスに配置された複数の画素を備え、各画素は、画素選択トランジスタ、液晶及び補助容量から成っている。
【００１０】
画素選択トランジスタのゲートには、行方向に延びたゲートライン１１０が接続され、そのドレインには、列方向に延びたドレインライン１２０が接続されている。各行のゲートライン１１０には垂直スキャナー（Ｖスキャナー）１３０からゲート走査信号が順次供給され、これに応じて画素選択トランジスタが選択される。また、ドレインライン１２０には水平スキャナー（Ｈスキャナー）１４０からのドレイン走査信号に応じて、ＲＧＢビデオ信号が供給され、画素選択トランジスタを通して液晶に印加される。
【００１１】
また上記液晶パネル１００に電源や各種の駆動信号を供給する周辺駆動回路２００が設けられている。周辺駆動回路２００には、ＲＧＢビデオデータ（デジタルデータ）を表示領域選択信号ＤＳ’に応じてマスクするマスク回路２１０、このマスク回路２１０を通されたＲＧＢビデオデータをアナログのビデオ信号に変換するＤＡ変換器２２０、このＤＡ変換器２２０からのビデオ信号を増幅する増幅器２３０が含まれる。増幅器２３０によって増幅されたＲＧＢビデオ信号は、ＬＣＤパネル１００に供給される。
【００１２】
ここで、マスク回路２１０は、例えば表示領域選択信号ＤＳ’がＨＩＧＨの時は到来したＲＧＢビデオデータをそのまま通し、表示領域選択信号ＤＳ’がＬＯＷの時は、到来したＲＧＢビデオデータをマスクし、予め設定された背景表示データを出力する。後者の場合、マスク回路２１０は例えば、白表示または黒表示に対応させて例えばＲＧＢビデオデータの全ビットを強制的にＨＩＧＨに設定して出力する。
【００１３】
周辺駆動回路２００には、タイミングコントローラ２４０（Ｔ／Ｃ）が含まれる。タイミングコントローラ２４０は、ドットクロックＤＯＴＣＬＫ、水平同期信号Ｈｓｙｎｃ、垂直同期信号Ｖｓｙｎｃ等のタイミング信号に基づき、ＬＣＤパネル１００の垂直スキャナー１３０、水平スキャナー１４０の動作に必要なタイミング信号を供給する。さらに、タイミングコントローラ２４０は、外部からの表示領域選択信号ＤＳにタイミング調整を施す。
【００１４】
このタイミング調整は、例えば表示領域選択信号ＤＳをＲＧＢビデオデータに同期させるタイミング調整である。タイミング調整された表示領域選択信号ＤＳ’は、マスク回路２１０に供給される。なお、このタイミング調整はシステム構成によっては不要であり、表示領域選択信号ＤＳは、タイミングコントローラ２４０を素通しされるか、全く通されないで直接マスク回路２１０に供給されるようにしてもよい。
【００１５】
このように、上述した構成の表示装置では外部からの表示領域選択信号ＤＳを用いてパーシャル表示モードか、通常表示モードかが切り替えられる。例えば表示領域選択信号ＤＳが全画素領域に渡ってＨＩＧＨであれば通常表示モードである。
【００１６】
パーシャル表示モードでは、表示領域選択信号ＤＳがＨＩＧＨの期間、パーシャル表示（通常表示）を行い、表示領域選択信号ＤＳがＬＯＷの期間中、マスク回路２１０によってＲＧＢビデオデータをマスクして背景表示を行う。しかしながら、表示領域選択信号ＤＳは表示装置の外部から供給されるので、表示装置側ではパーシャル表示モードか通常表示モードかを判別することができないので不都合である。
【００１７】
そこで、タイミングコントローラ２４０からの表示領域選択信号ＤＳ’の信号レベルを検知してパーシャル表示モードか通常表示モードかを判別する表示モード判別回路３００が設けられている。
【００１８】
次に、ｎ行ｍ列マトリクスの画素を備える液晶パネル１００を例として説明する。ここで、ｎ＝２２０、ｍ＝１７６を例にして説明する。図２は、表示領域選択信号ＤＳ’の波形図、図３は液晶パネル１００の表示の様子を示す図である。図２（ａ）に示すように、水平走査系（Ｈ系）で見ると、表示領域選択信号ＤＳ’は１Ｈ期間中で１７６列を走査するのに必要な期間だけＨＩＧＨになっている。この場合は、ＲＧＢビデオ信号は各列のドレインライン１２０を通して各画素に書き込まれ通常表示がなされる。
【００１９】
一方、図２（ｂ）の垂直走査系（Ｖ系）の波形で見ると、通常表示モードでは表示領域選択信号ＤＳ’は１フレーム期間中、２２０行をすべて走査して全画素を駆動するのに必要な期間だけＨＩＧＨになっている。ただし、これはマクロ的に見たものであり、実際には、図２（ａ）に示すようにブランキング期間ではＬＯＷになっている。
【００２０】
このように、通常表示モードでは、１フレーム期間中に２２０行のゲートラインを順に選択し、同時に１７６列のドレインライン１２０に所望のＲＧＢビデオ信号に供給し、各行に対応する画素にＲＧＢビデオ信号を書き込むことで、図３（ａ）に示すように全画素表示を行っている。
【００２１】
一方、パーシャル表示モードでは、図２（ｂ）に示すように、表示領域選択信号ＤＳ’は１フレーム期間中、所定の行を走査するのに必要な期間だけＨＩＧＨになり、他の期間はＬＯＷになる。これにより、任意のパーシャル表示領域１０１が選択される。例えば、最初の３０行×１７６列がパーシャル表示領域１０１となって所望のパーシャル表示を行い、残りの領域は背景表示領域１０２となり、背景表示が行われる。また、表示領域選択信号ＤＳ’をＨＩＧＨにするタイミングを制御することで任意の領域をパーシャル表示領域１０１に設定することができる。
【００２２】
具体的は、背景表示領域１０２では、液晶に加わる電圧が０Ｖ（実際には数Ｖであるが）の場合に白が表示されるノーマリーホワイトの液晶パネル１００の場合には白表示がされる（図３（ｂ）参照）。また、液晶に加わる電圧が０Ｖ（実際には数Ｖであるが）の場合に黒が表示されるノーマリーブラックの液晶パネル１００の場合には黒表示がされる。そして、通常表示モードに復帰すると、図３（ｃ）のように全画素表示が行われる。
【００２３】
このように、表示領域選択信号ＤＳ’という一つの信号を用いるだけで、任意のパーシャル表示領域１０１を選択して、パーシャル表示を実現することができるが、背景表示領域１０２に背景表示を行っている期間の消費電力を如何に抑えるかが問題である。一般に、液晶パネルでは液晶の劣化を防止するためにライン毎にビデオ信号の極性を反転させるいわゆるライン反転駆動が用いられる。しかし、ビデオ信号の極性を反転させる毎に、逆極性に充放電が繰り返されるために周辺駆動回路の消費電力が大きくなってしまう。
【００２４】
そこで、本発明では消費電力を低減するために、▲１▼背景表示信号をライン反転駆動ではなく、フレーム反転駆動（１フレーム毎にビデオ信号の極性を反転させる）させる方法。▲２▼液晶パネルで一般に用いられるプリチャージ信号を背景表示信号として利用する方法をさらに提案する。その具体的な実施形態については、第２，第３の実施形態で詳述する。
【００２５】
また、前述した表示モードの判別については表示モード判別回路３００により行われるが、具体的には上述の例では、表示領域選択信号ＤＳ’が２２０行の走査期間中、ＨＩＧＨを維持していれば通常表示モードと判定し、ＨＩＧＨの期間がそれ未満であれば、パーシャル表示モードと判定する。あるいは、表示領域選択信号ＤＳ’が特定の行（例えば１００行）に相当するタイミングでＨＩＧＨであれば通常表示モードと判定し、表示領域選択信号ＤＳ’がそのタイミングでＬＯＷであれば、パーシャル表示モードと判定する。その結果として、表示モード判別回路３００は、後述するように、パーシャル表示モードにおいてフレーム反転駆動とライン反転駆動を切り替えるための反転制御信号ＩＳを出力する。
【００２６】
［第２の実施形態］
本実施形態では、パーシャル表示モードにおける消費電力を低減するために、表示選択信号ＤＳ’がＬＯＷである背景表示期間中、背景表示信号の極性を１フレーム毎に反転させる。
【００２７】
本実施形態の表示装置の構成を図４に示す。ＤＡ変換器２２０によりアナログ変換されたビデオ信号を反転制御する反転制御回路２５０が設けられている。この反転制御回路２５０は、表示領域選択信号ＤＳ’がＨＩＧＨの期間（パーシャル表示期間）はビデオ信号をライン反転駆動させ、表示選択信号ＤＳ’がＬＯＷの期間（背景表示期間）はビデオ信号をフレーム反転駆動させる。
【００２８】
反転制御回路２５０からのビデオ信号は、ゲインが可変制御可能な増幅器２３０Ａに印加される。増幅器２３０Ａは、表示選択信号ＤＳ’がＨＩＧＨの場合には
ゲインＧ１で増幅動作を行い、表示領域選択信号ＤＳ’がＬＯＷの場合にはＧ１より低いゲインＧ２（Ｇ２＜Ｇ１）で増幅動作を行う。表示領域選択信号ＤＳ’がＬＯＷの期間（背景表示期間）はビデオ信号をフレーム反転駆動させるため、ライン反転駆動に比べて増幅器２３０Ａに必要なゲインは小さくても問題ない。そのため、この期間だけ、増幅器２３０Ａのゲインを落として低消費電力化を図っている。
【００２９】
図５にパーシャル表示モードにおける波形図を示す。１フレーム期間中、表示選択信号ＤＳ’がＬＯＷである背景表示期間中は、背景表示信号は例えばビデオセンター６Ｖより１Ｖだけ低い５Ｖであり、次の１フレーム期間の背景表示期間中は、ビデオ信号は例えばビデオセンター６Ｖより１Ｖだけ高い７Ｖであり、パーシャル表示モードではこのように、背景表示信号の極性をフレーム毎に反転させる。表示領域選択信号ＤＳ’がＨＩ　ＧＨであるパーシャル表示期間中については、図５に示すようにビデオ信号はライン反転駆動される。また、図５中の反転制御信号ＩＳは、後述する反転制御回路２５０の反転動作を制御する信号であり、表示領域選択信号ＤＳ’がＬＯＷの期間は１フレーム期間毎に反転を繰り返し、表示領域選択信号ＤＳ’がＨＩＧＨの期間は１Ｈ期間毎に反転を繰り返す信号である。
【００３０】
なお、この例では背景表示信号は、ビデオセンターに対して±１Ｖの信号であり、ノーマリーホワイトの液晶パネルでは白表示信号となり、ノーマリーブラックの液晶パネルでは黒表示信号となる。
【００３１】
次に、マスク回路２１０、反転制御回路２５０、ゲインが可変制御可能な増幅器２３０Ａの具体的な構成例について説明する。図６に、マスク回路２１０の回路図を示す。この図では、ＲＧＢビデオデータの中、Ｒデータのマスク回路を示している。他のＧＢのビデオデータのマスク回路も同様の構成である。また、ＲＧＢは各３ビットであるとして説明する。
【００３２】
３ビットのＲビデオデータＲ０−２は、それぞれオア回路２１１，２１２，２１３の一方の入力端子に印加され、他方の各入力端子には、表示領域選択信号ＤＳ’の反転信号＊ＤＳ’が印加されている。表示領域選択信号ＤＳ’がＨＩＧＨであるパーシャル表示期間には、ＲビデオデータＲ０−２はそのままマスク回路を通されるが、表示領域選択信号ＤＳ’がＬＯＷである背景表示期間には、ＲビデオデータＲ０−２は、全ビットがＨＩＧＨに強制設定され、背景表示データとし出力端子ＯＵＴ０−２から出力される。
【００３３】
図７に、反転制御回路２５０の回路例を示す。図７（ａ）の回路は、非反転増幅器２５１、反転２５２とを備えている。ＤＡ変換器２２０から出力されたビデオ信号は、入力端子２５３から入力され、非反転増幅器２５１、反転２５２に印加される。この回路は、上記の反転制御信号ＩＳに応じて、非反転増幅器２５１、反転２５２の出力がいずれかに一方に切り替えられられる。表示領域選択信号ＤＳ’がＨＩＧＨであるパーシャル表示期間では、非反転増幅器２５１、反転２５２の出力がライン毎に切り替えられ、ライン反転駆動がなされる。一方、表示領域選択信号ＤＳ’がＬＯＷである背景表示期間では、非反転増幅器２５１、反転２５２の出力が１フレーム毎に切り替えられ、ＤＡ変換器２２０から出力された背景表示信号のフレーム反転駆動がなされる。
【００３４】
図７（ｂ）に他の回路例を示す。この回路は、ＤＡ変換器２２０に信号反転機能を持たせたものである。すなわち、正極性黒の参照電圧Ｖｒｅｆ（Ｂ）＋、負極性黒の参照電圧Ｖｒｅｆ（Ｂ）−のいずれか一方が、反転制御信号ＩＳによって切り替えられ、抵抗ストリング２５５の一端に黒用参照電圧として供給される。また、正極性白の参照電圧Ｖｒｅｆ（Ｗ）＋、負極性白の参照電圧Ｖｒｅｆ（Ｗ）−のいずれか一方が、反転制御信号ＩＳによって切り替えられ、抵抗ストリング２５５の他端に白用参照電圧として供給される。そして、ＲＧＢビデオデータに応じてスイッチ群２５６がオンオフすることで抵抗ストリング２５５の各接続点の電圧が選択される。したがって、この回路によればＤＡ変換と信号極性の反転とを行うことができる。
【００３５】
図８に、ゲインが可変制御可能な増幅器２３０Ａの回路図を示す。図８（ｂ）の回路は増幅器２３１と、増幅器２３１とその電源ＶＤＤとの間に挿入されたスイッチ２３２と、増幅器２３１の入力と出力の間に設けられたスイッチ２３３とを備えている。表示領域選択信号ＤＳ’がＨＩＧＨであるパーシャル表示期間では、スイッチ２３２が閉じ、スイッチ２３３が開く。
【００３６】
これにより、入力端子２３４から入力されたビデオ信号は増幅器２３１が有するゲインＧ１で増幅される。一方、表示領域選択信号ＤＳ’がＬＯＷである背景表示期間では、スイッチ２３２が開き、スイッチ２３３が閉じる。これにより、入力端子２３４から入力された背景表示信号は、スイッチ２３３を通してそのまま出力される。この場合のゲインＧ２は１であり、増幅器２３１のゲイン１より小さい。また、このとき、増幅器２３１は電源ＶＤＤから切り離されるので、増幅器２３０Ａの静消費電力分、全体の消費電力が低減される。
【００３７】
また、他の回路構成例としては、図８（ｂ）に示すように、スイッチ２３３の代わりに、ゲインＧ２（Ｇ２＜Ｇ１）を有する増幅器２３５を設ける。表示領域選択信号ＤＳ’がＨＩＧＨであるパーシャル表示期間では、スイッチ２３２が閉じ、スイッチ２３６が開く。これにより、入力端子２３４から入力されたビデオ信号は増幅器２３１の有するゲインＧ１で増幅される。表示領域選択信号ＤＳ’がＬＯＷである背景表示期間では、スイッチ２３２が開き、スイッチ２３６が閉じる。これにより、入力端子２３４から入力されたビデオ信号は増幅器２３５の有するゲインＧ２で増幅される。
【００３８】
［第３の実施形態］
本実施形態では、パーシャル表示モードにおける消費電力を低減するために、液晶パネル１００で用いられるプリチャージ信号ＰＣＤを背景表示信号として利用するものである。
【００３９】
本実施形態の表示装置の構成を図９に示す。液晶パネル１００Ａには、ドレインライン１２０にプリチャージ信号ＰＣＤを出力するプリチャージ回路１５０が設けられている。アクティブマトリクス型の液晶パネルでは、１Ｈ期間中、対応するゲートライン１１０を選択して画素トランジスタをオンさせ、その際ドレインライン１２０に印加されるビデオ信号を画素トランジスタを介して各画素に書き込むことにより画素毎の表示を行っている。
【００４０】
しかしながら、ライン反転駆動方式の場合には、特に、１Ｈ毎にドレインライン１２０に印加されるビデオ信号の極性が反転するため、１Ｈの切り替わり後、ドレインライン１２０の電圧が、確実に次に表示すべきビデオ信号の電圧になることが望ましい。そこで、予め続く１Ｈでドレインライン１２０に書き込むビデオ信号に近い電圧を各ドレインライン１２０に書き込むプリチャージが行われている。
【００４１】
本実施形態では、このプリチャージ信号ＰＣＤを背景表示信号として利用して背景表示を行うものである。そして、これに伴い表示領域選択信号ＤＳ’がＬＯＷである背景表示期間中、マスク回路２１０からのビデオデータをアナログ変換するＤＡ変換器２２０、アナログ変換されたビデオ信号を増幅する増幅器２３０及び、水平スキャナー１４０の動作を停止させことで消費電力の低減を図っている。
【００４２】
具体的は、背景表示期間については、ＤＡ変換器２２０、増幅器２３０及び水平スキャナーを動作させる必要がなくなるので、これらの回路を電源ＶＤＤから切り離すためのスイッチＳＷ１，ＳＷ２，ＳＷ３を各回路に設け、表示領域選択信号ＤＳ’がＬＯＷの場合にこれらのスイッチＳＷ１，ＳＷ２，ＳＷ３を開き、電源ＶＤＤから切り離すようにしている。
【００４３】
図１０に、液晶パネル１００Ａの詳細な回路構成を示す。水平スキャナー１４０は、垂直スタートパルスＳＴＨをシフトクロックに基づいて順次シフトするシフトレジスタ１４１、各シフトレジスタ１４１の出力するサンプリングクロックがゲートに印加されたサンプリングＴＦＴ１４２を有している。ＲＧＢビデオ信号はサンプリングクロックに応じて、順にドレインライン１２０に出力される。そして、ドレインライン１２０にはプリチャージ信号ＰＣＤを出力するプリチャージ回路１５０は、プリチャージ制御信号ＰＣＧによって制御されたプリチャージＴＦＴ１５１を有している。プリチャージ制御信号ＰＣＧがＨＩＧＨになると、プリチャージＴＦＴ１５１がオンし、プリチャージ信号ＰＣＤが全ドレインライン１２０に出力される。
【００４４】
図１１に、本実施形態の表示装置の動作波形図を示す。パーシャル表示期間において、図１１（ａ）に示すように、１Ｈ期間の直前にプリチャージ制御信号ＰＣＧがＨＩＧＨになり、ドレインライン１２０は予め７Ｖにプリチャージされる。
その後は、ビデオ信号がサンプリングＴＦＴ１４２を介してドレインライン１２０に供給され、対応する行の各画素に書き込まれる。そして、次の１Ｈ期間の直前では、ビデオセンターに対して極性が反転された５Ｖにプリチャージされる。
【００４５】
一方、背景表示期間では、図１１（ｂ）に示すように、１Ｈ期間の直前にプリチャージ制御信号ＰＣＧがＨＩＧＨになり、ドレインライン１２０は予め７Ｖにプリチャージされる。そして、これに続く１Ｈ期間ではビデオ信号はマスクされ、
プリチャージのレベル７Ｖが対応する行の各画素に書き込まれる。次の１Ｈ期間の直前では、ビデオセンターに対して極性が反転された５Ｖにプリチャージされる。次の１Ｈ期間ではビデオ信号はマスクされ、プリチャージのレベル５Ｖが対応する行の各画素に書き込まれる。この背景表示期間では、さらに、ＤＡ変換器２２０，増幅器２３０及び水平スキャナー１４０の動作が停止する。これにより、消費電力が低減される。
【００４６】
なお、この例ではプリチャージ信号ＰＣＤはビデオセンターに対して±１Ｖで変化する信号であり、ノーマリーホワイトの液晶パネルでは白表示信号となり、ノーマリーブラックの液晶パネルでは黒表示信号となる。
【００４７】
図１２に、本実施形態の表示装置の他の動作波形図を示す。この動作波形図は、垂直走査系（Ｖ系）で見た波形図であり、パーシャル表示モードにおいて、パーシャル表示とプリチャージ信号ＰＣＤを用いた背景表示の動作波形を示している。
【００４８】
なお、本実施形態において、パーシャル表示期間（あるいは通常表示期間）のプリチャージ信号ＰＣＤの信号レベルと背景表示期間のプリチャージ信号ＰＣＤの信号レベルは同一であるとして説明したが、これらは必ずしも同一でなくても良く、各期間毎の表示を最適化するためにプリチャージ信号ＰＣＤの信号レベルを異ならせてもよい。
【００４９】
また、パーシャル表示中、背景を中間色にする時は、プリチャージ信号ＰＣＤを中間調の電圧にすることで、スキャナーを止めたままで中間色の背景表示を行うことができる。
【００５０】
【発明の効果】
本発明によれば、表示領域選択信号という一つの信号を用いることで、表示装置の画素領域の中で、任意のパーシャル表示領域を選択して、パーシャル表示を実現することができる。また、プリチャージ回路を利用して背景表示を行っているので、背景表示期間については駆動回路の動作を停止して低消費電力化を図ることができる。
【図面の簡単な説明】
【図１】本発明の第１の実施形態に係る表示装置の構成図である。
【図２】表示領域選択信号ＤＳ’の波形図である。
【図３】液晶パネル１００の表示の様子を示す図である。
【図４】本発明の第２の実施形態に係る表示装置の構成図である。
【図５】パーシャル表示モードにおける波形図である。
【図６】マスク回路２１０の回路図である。
【図７】反転制御回路２５０の回路図である。
【図８】ゲインが可変制御可能な増幅器２３０Ａの回路図である。
【図９】本発明の第３の実施形態に係る表示装置の構成図である。
【図１０】液晶パネル１００Ａの詳細な回路図である。
【図１１】本発明の第３の実施形態に係る表示装置の動作波形図である。
【図１２】本発明の第３の実施形態に係る表示装置の他の動作波形図である。
【符号の説明】
１００　液晶パネル　　１１０　ゲートライン　　１２０　ドレインライン
１３０　垂直スキャナー　　１４０　水平スキャナー　　２１０　マスク回路
２２０　ＤＡ変換器　　２３０　増幅器　　２３０Ａ　増幅器
２４０　タイミングコントローラ　　３００　表示モード判別回路
【図１】
2004012891.tif 000003
【図２】
2004012891.tif 000004
【図３】
2004012891.tif 000005
【図４】
2004012891.tif 000006
【図５】
2004012891.tif 000007
【図６】
2004012891.tif 000008
【図７】
2004012891.tif 000009
【図８】
2004012891.tif 000010
【図９】
2004012891.tif 000011
【図１０】
2004012891.tif 000012
【図１１】
2004012891.tif 000013
【図１２】
2004012891.tif 000014